(57)【要約】【課題】枝葉の付いた竹を取付具を介して市販の電動ドリルに取り付けて、竹を回転させ枝葉部分で屋根上の雪の表面を引っ掻いて振動を与え、積雪が積もっているバランスを崩して雪を屋根下に自然落下させるようにして、簡単かつ安価に雪下ろしができる道具を提供することにある。【解決手段】電動ドリルに接続した取付具の中空部の軸心を中心とした対称位置に外側に膨出する膨出部を有すると共に、当該膨出部内に設けられた係合部に係合する調整具を回転させて調整具に固定された保持具を保持具を膨出部内の空所から保持位置まで移動させて竹を取付具に固定する。【選択図】図７
2015172288.tif 000002
【特許請求の範囲】
【請求項１】
電気ドリルと取付具と枝葉の付いた竹とからなり、当該取付具を介して電気ドリルと竹を接続して竹を回転させ屋根上の雪の表面を枝葉で引っ掻いて振動を与え積雪を崩すことを特徴とする雪下ろし機。    
【請求項２】
取付具は、一端側が電気ドリルと接続する接続部と、他端側が開放した中空部と、調整具と係合する係合部とを有し、調整具に固定されると共に中空部内に配置された保持具を介して竹を取付具に固定することを特徴とする請求項１に記載の雪下ろし機。
【請求項３】
取付具の中空部の軸心を中心とした対称位置に外側に膨出する膨出部を設けると共に当該膨出部内に係合部を設け、当該係合部に係合する調整具を回転させて調整具に固定された保持具を膨出部内の空所から竹を固定する位置まで自在に移動させることを特徴とする請求項２に記載の雪下ろし機。
【請求項４】
保持具は屈曲部と２辺の接触部を有し、接触部同士を結ぶ直線距離が竹の保持部分の直径よりも小さいことを特徴とする請求項２乃至３に記載の雪下ろし機。
【発明の詳細な説明】
【技術分野】
【０００１】
本発明は、電動ドリルと竹を利用した雪下ろし機に関するものである。
【背景技術】
【０００２】
雪国では、冬場に屋根上に積もる雪を放置すると、雪の重みで屋根が破損し家屋が倒壊するおそれがあるため、雪下ろしは重要な作業である。従来より、雪下ろしはシャベルやスノーダンプを使用し、人が雪の積もった屋根の上に上がり手作業で行っている。
しかし、一般に雪下ろしを必要とする地域は、過疎地で高齢化率の高い地域が多いため労働力の確保が難しい上に、高齢者自らが滑りやすい屋根の上での作業をしなければならず、身体能力の低下に伴う転落事故等も増加している。
【０００３】
労力を軽減し事故を防止するには、屋根上での手作業をなくす必要があり、特許文献１又は２に示すように、線状発熱体や面状発熱体をシートで表裏両面から被覆した融雪シートを屋根に設置して積雪を暖めて融かす融雪装置もあるが、氷点下の過酷な外部において屋根全体の積雪を融かすには、発熱量の大きな発熱体を屋根全面に敷設しなければならず、設置費用、電気代、メンテナンス費用が高額となる。
【０００４】
一方、大掛かりな設備や電気エネルギー等を使用せず、地上から屋根の雪下ろしを行う道具も種々開発されている。例えば、特許文献３では、軽くて錆びないアルミニウムやプラスチックを用いた雪降ろし板に角度調整のできる伸縮自在の柄を取付け、屋根上雪を掻き下ろすことができる。
【０００５】
特許文献４では、軽合金の様な軽い材質で伸縮自在な柄の先端に平板状の雪切り板を取着し、該雪切り板両側からは雪切り縦板を立設して、両雪切り縦板上端前部を支軸としたダンパーを遊嵌し、雪切り板先端部にはダンパー係止用ストッパーを取着して雪降ろし具とし、軒先より屋根に向けて雪切り板が屋根面と平行な状態で押し上げると、雪は雪切り板で下面を切り取られ、雪切り縦板で左右側面を切り取られ、それと共にダンパーは雪で押し上げられて開いた状態を保ちながら屋根の頂点近くまで進めた後、雪降ろし具を手前に引いて逆行させるとダンパーは雪の抵抗で戻り、ストッパーに当たって閉止状態となり雪を堰き止めるので、雪は雪降ろし具と共に下がって軒下に落下する。
【０００６】
さらに、特許文献５では、支持棒によって支持された除雪用筐体を積雪層に差込んで移動させ、除雪用筐体内部に雪塊を取り込み、この雪塊を除雪用筐体の雪排出口に取り付けられた雪滑走筒帯により地上に滑走、落下させる手段を採用し、その作業手順が押し及び引きの軽作業となって極めて単純化される。
【先行技術文献】
【特許文献】
【０００７】
【特許文献１】特開平８−２８０９４号公報
【特許文献２】実用新案登録第３０９２０６７号公報
【特許文献３】実用新案登録第３０５９０４１号公報
【特許文献４】特開平１０−２５２０２９号公報
【特許文献５】実用新案登録第３０５７１５６号公報
【発明の概要】
【発明が解決しようとする課題】
【０００８】
しかし、特許文献３乃至５の道具では、地上から屋根に向かって人の手の力で積もった雪の塊に道具の先端を押し込んで使用するため、特に圧雪されて硬くなった雪等では雪に押し込むことができなかったり、作業も重い道具を保持した状態で、何度も押し込まなければならないので、多大な労力が必要となる。
【０００９】
本発明は斯かる点に鑑みてなされたものであり、その目的は、地上から屋根に向かって道具を保持する以上の力を加える必要がなく、市販の電動ドリルを動力源とし全国的に大量に繁茂し有効に活用されていない竹を使用し、簡単かつ安価に雪下ろしができる道具を提供することにある。
【課題を解決するための手段】
【００１０】
上記の目的の達成のため、この発明では、枝葉の付いた竹を取付具を介して電動ドリルに取り付けて、電動ドリルの動力で竹を回転させて枝葉部分で屋根上の雪の表面を引っ掻いて振動を与え屋根上の積雪のバランスを崩すことで、屋根下に雪を自然落下させるようにした。
【００１１】
具体的には、請求項１に記載の雪下ろし機は、電気ドリルと取付具と枝葉の付いた竹とからなり、当該取付具を介して電気ドリルと竹を接続して竹を回転させ屋根上の積雪の表面を枝葉で引っ掻いて雪に振動を与え積雪を崩すことを特徴とする。
【００１２】
請求項２に記載の雪下ろし機は、請求項１に記載の雪下ろし機において、取付具は、一端側が電気ドリルと接続する接続部と、他端側が開放した中空部と、調整具と係合する係合部とを有し、調整具に固定されると共に中空部内に配置された保持具を介して竹を取付具に固定することを特徴とする。
【００１３】
請求項３に記載の雪下ろし機は、請求項２に記載の雪下ろし機において、取付具の中空部の軸心を中心とした対称位置に外側に膨出する膨出部を設けると共に当該膨出部内に係合部を設け、当該係合部に係合する調整具を回転させて調整具に固定された保持具を膨出部内の空所から竹を固定する位置まで自在に移動させることを特徴とする。
【００１４】
請求項４に記載の雪下ろし機は、請求項２乃至３に記載の雪下ろし機において、保持具は屈曲部と２辺の接触部を有し、接触部間の距離が竹の保持部分の直径よりも小さいことを特徴とする。  
【発明の効果】
【００１５】
以上説明のように、請求項１に記載の雪下ろし機によると、取付具を介して電気ドリルと竹を接続しており、電気ドリルを回転させることにより竹も回転するので、電気ドリルを抱えたままで、あるいは台等に載置することにより、竹の先端部を屋根上の雪の表面上に配置させるだけで、回転する枝葉が屋根上の雪の表面を引っ掻いて振動を与え、積雪が積もっているバランスを崩して雪を屋根下に自然落下させることができる。竹の枝葉は強靭でしなやかな素材なので強力に雪を崩すと共に屋根の凹凸部をかわすことができるので屋根を傷つけることなく作業をすることができる。
【００１６】
請求項２に記載の雪下ろし機によると、請求項１に記載の雪下ろし機において、取付具は一端が電気ドリルと接続する接続部と他端側が開放した中空部と調整具と係合する係合部を有し、調整具に固定されると共に中空部内に配置された保持具を介して竹を取付具に固定することができるので、電気ドリルと竹を簡単に固定することができ、係合部に係合された調整具を調整することで、天然の植物である竹の外径が多少変化しても、保持具で確実に固定でき、寸法が一定でない天然の植物を使用することができる。  
【００１７】
請求項３に記載の雪下ろし機によると、請求項２に記載の雪下ろし機において、取付具の中空部の軸心を中心とした対称位置に外側に膨出する膨出部を設けると共に当該膨出部内に係合部を設け、当該係合部に係合する調整具を回転させて保持具を膨出部内の空所から竹を固定する位置まで自在に移動させることができるので、竹の外径が中空部の内径よりも小さければ使用することができる。また、調整具を回転させるだけで中空部内において保持具を自在に移動させることができると共に竹を外周の対称位置にある両側から押えることができるので、より確実に固定することができる。  
【００１８】
請求項４に記載の雪下ろし機によると、請求項２乃至３に記載の雪下ろし機において、保持具は屈曲部と２辺の接触部を有し、小さな外形の竹であっても接触部間の距離が竹の保持部分の直径よりも小さいことにより、必ず屈曲部の両端の２辺の接触部が竹の外周に接して固定できるので、面として固定される場合に比べて単位面積当たりの圧着力が大きく、より強固に固定することができる。    
【図面の簡単な説明】
【００１９】
【図１】図１は、本発明の雪下ろし機の概略図である。
【図２】図２は、取付具の斜視図である。
【図３】図３は、取付具の断面を示し、（ａ）は保持具が空所に位置し、（ｂ）は保持具が竹を固定する位置にある状態を示す。
【図４】図４は、保持具の斜視図である。
【図５】図５は、調整具の斜視図である。
【図６】図６は、保持具で竹を保持した場合の上から見た概略図を示し、（ａ）は調整具が１箇所の場合、（ｂ）は調整具が２箇所の場合である。
【図７】図７は、雪下ろし機の使用状態を示す概略図である。
【発明を実施するための形態】
【００２０】
以下、本発明の実施形態を図面に基づいて詳細に説明する。以下の実施形態の説明は、本質的に例示に過ぎず、本発明、その適用物或いはその用途を制限することを意図するものでは全くない。
【００２１】
図１は本発明の雪下ろし機１の概略図である。電気ドリル２と取付具３と枝葉の付いた竹６とからなる。ここで、電気ドリル２は市販の電気ドリル、ドリルドライバ、インパクトドライバ、ハンマードリル等、電動機の回転力でチャック部２１に固定した当該取付具３を介して電気ドリル２と竹６を接続して竹６を回転させ、回転する枝葉が屋根上の雪の表面を引っ掻いて振動を与え、積雪の積もっているバランスを崩して雪を屋根下に自然落下させることができるようにした。なお、枝葉は先端の必要な部分だけ残し、不要な部分は切除した方が取り扱いやすい。
【００２２】
竹は弾力性に富むと共に真比重が０．７程度で木材の中でも高いため高強度でしなやかである一方、中空構造のため外径が太くなれば中空部の容積が増加して見掛け比重は軽くなり、例えば、平均直径が１０ｃｍを超えると見掛け比重は０．３程度まで低下するので、長さが１０ｍ程度でも重量は約２０ｋｇｆしかなく、手で抱えることも可能である。また、竹は一定間隔で節があり強化されているため細長くても折れ難いという特徴があるため、本発明のような地上から屋根上の雪下しをする雪下し機には最適の材料であることを見出した。しかも、竹はどこでも手に入れやすく極めて有用に利用することができる。
【００２３】
取付具３は、寸法が一定でない天然の竹６を電気ドリル２に確実に固定するための道具であり、図２に示すように、一端側には電気ドリル２のチャック部２１と接続バー２２で接続するための接続部３１を有すると共に他端側が開放した中空部３２を有し、当該中空部３２に竹を挿入し保持具４で固定することができるので、竹の外径が多少変化しても、保持具４で確実に固定できる。
【００２４】
本実施形態では、接続部３１は、内側に六角柱状の凹部３１ａを設け、断面六角形の接続バー２２と係合することができる。もちろん、四角形等他の多角形でもよく、凹部による係合でなくても電気ドリル２と確実に連結できる方法であればよい。
【００２５】
取付具３は、内部に中空部３２を有し開放されている他端側から竹を挿入することができ、中空部３２の軸心を中心とした対称位置には外側に膨出する膨出部３３を設け、膨出部３３の内部には、後述する調整具５を介して取付具３に固定される（図３（ａ）、（ｂ）に示すように、調整具５は膨出部３３に設けられた係合部３４に係合する）保持具４が収まる空所３５が形成されるので、保持具４は中空部３２内でじゃまにならず、中空部の内径までの太さの竹を使用することができ、寸法バラツキのある天然素材を容易に使用することができる。また、保持具４を竹６の保持部分６１の軸心の対称位置にある２か所から内側に向かって押えることができるので強固に固定することができる。  
【００２６】
図４に示すように、保持具４は、屈曲部４１で略Ｖ字状またはＵ字状に屈曲し、両端の接触部４２で竹６と接触する。接触部４２同士を結ぶ直線距離が竹の保持部分の直径よりも小さくなるように設定されており、必ず両端２辺の接触部４２が竹の外周部分に接することで固定でき、面として固定される場合に比べて２辺のみで接触するので単位面積当たりの圧着力が大きく、より強固に固定することができる。  
【００２７】
保持具４は、竹６を保持しない場合は膨出部３３の内部の空所３５に位置し（図３（ａ）に示す位置）、竹６を保持する場合は竹と接触する位置（図３（ｂ）に示す位置）まで調整具５を用いて矢印の方向に移動させる。本実施形態では、調整具５として図５に記載のものを用いる。調整具５は本体５１の一端側に六角柱状の凹部を設けた調整端部５２と、他端側から突出する軸部５４と、取り外し自在に固定した固定部５３とからなる。保持具４に調整具５を固定する際は、一端、固定部５３を取り外して軸５４を保持具５に設けた貫通孔４３に通して、固定部５３を再度軸５４に取り付ける。固定部５３は本体５１に面する側に面取りが成されていて、保持具４の屈曲部４１に接して強固に固定することができる。  
【００２８】
図示しないが本体５１の表面にはネジが切ってあり、調整具５を取付具３の係合部３４（内側には同様にネジが切ってある）に螺着して調整端部５２に六角レンチ等を係合させ回転させることで、保持具４が図３（ａ）に示す位置と図３（ｂ）に示す位置との間を矢印の方向に自在に移動するので、竹６を取付具３に確実に固定することができる。なお、調整具５は、係合部３４の外側に突出しないようにすることで、外部から調整具５に引っかけたりすることがなくなり安全性が保持できる。
【００２９】
本実施形態では、調整具５は保持具４の略中央付近の貫通孔４３を介して一箇所のみ設けられているが、竹は天然の植物のため当然長さ方向での外径にはバラツキがある（先端に向かって細くなる）ので、一箇所では図６（ａ）に示すように、接触部４２の一部分しか竹の保持部分６１と接触しない。一方、図６（ｂ）に示すように、調整具５を２箇所またはそれ以上設けることで、保持部分６１の外径に合わせて接触部４２の位置を矢印の方向に夫々個別に調整することができ、接触部４２の全体を使って竹６をより確実に固定することができる。この図では調整具５は左右対称となっているが、一方側だけを変えてももちろん良い。（例えば、左側は２箇所で右側は１箇所でも良い）
【００３０】
以上のようにして、長さ１０ｍ、保持部分の外径１０ｃｍ、重量２０ｋｇの竹を市販の電気ドリルに固定して得られた雪下ろし機を用いて、図７に示すように回転させながら屋根の積雪表面に枝葉部分を載せて配置させると、竹の枝葉は強靭でしなやかな素材なので屋根上の雪の表面を引っ掻いて振動を与え、積雪のバランスを崩して容易に雪を屋根下に自然落下させることができるので、屋根上に上がって危険な作業をする必要がなくなる。
【００３１】
また、屋根下から雪下ろしができる従来の道具のように、重い道具を保持した状態で、屋根上の積雪に何度も押し込み雪を掻き落す作業をする必要はなく、雪下ろし機を抱えるだけで積雪に振動を与えバランスを崩すことで自然落下させることができるので、多大な労力は不要である。また、竹の枝葉が柔軟に変形するので、屋根に凹凸部があってもかわすことができ屋根を傷つけることなく作業をすることができる。
【産業上の利用可能性】
【００３２】
本発明は、市販の電動ドリルと全国的に大量に繁茂し有効に活用されていない竹を使用し、簡単かつ安価に雪下ろしができるので、極めて有用で産業上の利用可能性が高い。
【符号の説明】
【００３３】
１  雪下ろし機
２  電気ドリル
３  取付具
４  保持具
５  調整具
６  竹
【図１】
2015172288.tif 000003
【図２】
2015172288.tif 000004
【図３】
2015172288.tif 000005
【図４】
2015172288.tif 000006
【図５】
2015172288.tif 000007
【図６】
2015172288.tif 000008
【図７】
2015172288.tif 000009